(57)【要約】【課題】本発明は通信端末装置に関し、複数の項目をリスト表示する際、ユーザにとつて目的の項目を捜しやすい表示を提供し得るようにする。【解決手段】複数の項目をグループ分けして階層構造に形成した場合、項目をリスト表示する際には階層毎に画面イメージを変えるようにしたことにより、ユーザは画面イメージの違いを見てどの階層の項目が現在表示されているかを知ることができ、目的の項目を容易に捜し出すことができる。【選択図】図１３
2007012082.tif 000002
【特許請求の範囲】
【請求項１】
ユーザの指示を入力する入力手段と、
複数の項目が複数のグループにグループ分けされ、上記複数の項目のうちの一部が表示装置に表示され、表示された上記項目のうち、上記グループにおける最初又は最後の項目にカーソルが配置された状態において、上記ユーザから直前又は次の項目を選択するように指示されると、直前又は次のグループに属する上記項目に上記カーソルを配置するように上記表示装置を制御する制御手段
を具えることを特徴とする装置。
【請求項２】
上記表示装置
を具えることを特徴とする請求項１に記載の装置。
【請求項３】
上記制御手段は、
上記グループごとに上記項目をリスト表示する
ことを特徴とする請求項２に記載の装置。
【請求項４】
上記制御手段は、
上記カーソルが配置された上記項目が属する上記グループの上記項目をリスト表示する
ことを特徴とする請求項２に記載の装置。
【請求項５】
上記制御手段は、
上記カーソルが配置された上記項目が属する上記グループの上記項目をリスト表示すると共に、上記カーソルが配置された項目が属する上記グループの名称を表示する
ことを特徴とする請求項２に記載の装置。
【請求項６】
上記制御手段は、
上記カーソルが配置された上記項目が属する上記グループの上記項目をリスト表示すると共に、上記カーソルが配置された項目が属する上記グループの名称をリスト表示された上記項目の上方に表示する
ことを特徴とする請求項２に記載の装置。
【請求項７】
上記制御手段は、
上記カーソルを移動する旨のユーザの指示に伴い、所定の位置に上記カーソルを固定させた状態で上記リスト表示された上記項目を順にずらすことにより、上記表示装置に表示される画面をスクロールする
ことを特徴とする請求項２に記載の装置。
【請求項８】
上記制御手段は、
上記カーソルの移動に伴い、上記表示装置に表示された画面をスクロールさせることによつて上記リスト表示された項目を順に表示し、上記リスト表示された上記項目のうち、上記グループにおける上記最初の項目又は上記最後の項目に上記カーソルが配置された場合のみ、上記リスト表示された上記項目のうち、最上又は最下に表示された上記項目に上記カーソルを配置する
ことを特徴とする請求項２に記載の装置。
【請求項９】
上記制御手段は、
複数の上記グループに属する上記項目をリスト表示すると共に、複数の上記グループの境界を示す情報を表示する
ことを特徴とする請求項２に記載の装置。
【請求項１０】
上記制御手段は、
上記カーソルが配置された上記項目が属する上記グループの上記項目をリスト表示し、表示されている上記項目が属する上記グループにおける最初の項目の前又は最後の項目の次の項目に上記カーソルを移動させる旨の指示が上記ユーザの操作に応じてなされると、前又は次のグループにおける上記項目をリスト表示すると共に、上記前のグループにおける最後の項目又は上記次のグループにおける最初の項目に上記カーソルを移動させる
ことを特徴とする請求項２に記載の装置。
【請求項１１】
ユーザの指示を入力する入力ステツプと、
複数の項目が複数のグループにグループ分けされ、上記複数の項目のうちの一部が表示装置に表示され、表示された上記項目のうち、上記グループにおける最初又は最後の項目にカーソルが配置された状態において、上記ユーザから直前又は次の項目を選択するように指示されると、直前又は次のグループに属する上記項目に上記カーソルを配置するように上記表示装置を制御する制御ステツプと
ことを特徴とする制御方法。
【発明の詳細な説明】
【技術分野】
【０００１】
本発明は通信端末装置に関し、例えば携帯電話装置においてメニユーに登録されている複数の項目をリスト表示する際に適用して好適なものである。
【背景技術】
【０００２】
近年、携帯電話装置の普及が著しく、それに伴つて多種多様の機能が携帯電話装置に付加されるようになつてきている。その機能としては種々あるが、一例を上げれば次のようなものがある。例えば名前毎に電話番号を登録し得る電話帳機能、短い電文を送信するシヨートメツセージ送信機能、着呼を別の端末に転送する転送機能、発着信を制限する発着信制限機能等がある。
【０００３】
通常、これらの機能はメニユーに登録されており、そのメニユーを読み出して順次所望の項目を選択していけば、ユーザの希望に応じて任意に設定し得るようになされている。
【発明の開示】
【発明が解決しようとする課題】
【０００４】
ところで携帯電話装置に設けられているメニユーは、機能項目が増えたことや表示手段として設けられている液晶デイスプレイの行数及び桁数が少ないこともあつて、一般に関連のある項目毎にグループ分けされて階層的に構成されている。そのため所定の機能項目を設定しようとした場合、まずその機能項目が属するグループを選択し、そのグループ下にある項目リストを表示させる。そしてその項目リストをスクロールさせながら希望の機能項目を捜し出し、その部分にカーソルを合わせてその機能項目を選択し、設定を行う。
【０００５】
ところが従来のメニユー表示では、上位階層であるグループの表示と下位階層である機能項目の表示とで表示の仕方が同じであるため、希望の機能項目を捜し出しているときに現在どの階層にいるかが分からなくなり、希望の機能項目を捜せ出せなくなるといつた不都合がある。この問題は階層が増えて構造が複雑になればなるほど発生し、今後、機能増大に伴つて機能項目数が増えれば益々起こり得ると考えられる。
【０００６】
本発明は以上の点を考慮してなされたもので、複数の項目をリスト表示する際、ユーザにとつて目的の項目を捜しやすい表示を提供し得る通信端末装置を提案しようとするものである。
【課題を解決するための手段】
【０００７】
かかる課題を解決するため本発明においては、複数の項目をグループ分けして階層構造に形成し、ユーザの操作に応じて所定階層の項目をリスト表示する表示手段を備える通信端末装置において、表示手段に階層の項目をリスト表示させるとき、現在リスト表示されている階層が属する上位階層の項目名を、階層の項目に対して上部かつ階層の項目の表示開始位置より所定位置だけ左にシフトして表示させると共に、階層における一番目の項目にカーソルを設定するようにした。
【０００８】
このようにすることにより、表示されている項目が属する上位階層の名前を表示手段に表示するため、ユーザは当該上位階層の名前を目安として目的の項目を捜しやすくなると共に、ユーザは画面イメージの違いを見てどの階層の項目が現在表示されているか分かりやすくなり、これによつて目的の項目を捜しだすことができる。
【発明の効果】
【０００９】
上述のように本発明によれば、複数の項目をグループ分けして階層構造に形成した場合、項目をリスト表示する際には階層毎に階層毎に画面イメージを変えるようにしたことにより、ユーザは画面イメージの違いを見てどの階層の項目が現在表示されているかを知ることができる。また、表示手段に階層の項目をリスト表示させるとき、現在リスト表示されている階層が属する上位階層の項目名を、階層の項目に対して上部かつ階層の項目の表示開始位置より所定位置だけ左にシフトして表示させると共に、階層における一番目の項目にカーソルを設定するようにしたことにより、ユーザはグループの名前を目安として目的の項目を捜しやすくなる。
【００１０】
かくするにつき、複数の項目をリスト表示する際、ユーザにとつて目的の項目を捜しやすい表示を提供し得る通信端末装置を実現し得る。
【発明を実施するための最良の形態】
【００１１】
以下、図面について、本発明の一実施の形態を詳述する。
【００１２】
（１）第１実施例
（１−１）全体構成
（１−１−１）装置本体
まず図１及び図２を用いて携帯電話装置１の全体構成及び回路構成を説明する。この携帯電話装置１は大きく分けて装置本体２とその側面に回動（開閉）自在に取り付けられたアームマイク３とによつて構成されている。従つて使用時以外はアームマイク３を閉じることにより携帯電話装置１の大きさを一段と小型化できる。
【００１３】
このアームマイク３には開閉動作に連動してオンフツク又はオフフツクを制御する機能の他、閉状態のとき特定キー以外の操作を無効とする機能（以下、キーロツク機能と呼ぶ）が設けられている。因みに、このキーロツク状態はアームマイク３を開くことで解除できるようになされている。
【００１４】
このようなキーロツク機能を設けることにより、携帯電話装置１をポケツトや鞄の中に入れたとき操作キーが誤つて押されて誤動作することを未然に防ぐことができる。
【００１５】
一方、装置本体２には各種の操作キー及び処理回路が設けられている。装置本体２の表面にはアームマイク３と対をなすスピーカ４の他、液晶デイスプレイ（ＬＣＤ：Liquid Crystal Display）５及び各種の機能が割り当てられた複数の操作キー６が設けられ、さらにその本体内部にはこれらを入出力装置とするＣＰＵ（Central Processing Unit ）７が内蔵されている。
【００１６】
ＣＰＵ７は液晶デイスプレイドライバ５Ａを介して液晶デイスプレイ５を制御し、操作キー６から入力された指示に応じた情報を適切な大きさの文字フオントで表示する。またＣＰＵ７は送受信回路部１０を制御し、これに接続されたアンテナ１１を介して基地局装置との間で情報を送受信する。このようなＣＰＵ７はＲＯＭ（Read Only Memory）８に記憶されているプログラムやＲＡＭ（Random Access Memory）９に読み込んだデータに基づいて動作するようになされている。
【００１７】
因みに、ＣＰＵ７にはカードソケツト１３が接続されており、これに挿入された加入者ＩＤカード１２（この実施例の場合にはＳＩＭ（Subscriber Identity Module）カード）から加入者に関する一切の管理情報を読み出して制御に用いるようになされている。
【００１８】
因みに、液晶デイスプレイ５には例えば４０ドツト×９７ドツトの画素がマトリクス状に配列されたものが用いられており、これらのドツトを利用して２種類のフオントで情報を表示し得るようになされている。１つは１文字を例えば縦７ドツト×横５ドツトで表示する小フオントであり、もう１つは１文字を例えば縦１５ドツト×横８ドツトで表示する大フオントである。従つて小フオントを用いれば縦５文字、横１６文字の文字（すなわち５行×１６桁の文字）を表示することができ、大フオントを用いれば縦２文字、横１０文字の文字（すなわち２行×１０桁の文字）を表示することができる。
【００１９】
ここで大フオントは原則としてユーザが入力した文字を表示するのに用いられ、小フオントは装置側のメツセージ等を表示するのに用いられる。但し、ユーザが入力した文字数が所定数（例えば２０文字程度）を越えると、フオントサイズは自動的に大フオントから小フオントに切り換えられる。
【００２０】
このようなフオントの切換機能を設けることにより、入力文字数が少ない間は大きな文字で入力内容を確認しながら入力でき、誤入力を減らすことができる。また文字数が多い場合にも同一項目についての入力情報を１画面上で確認でき、入力内容の把握が容易にできる。
【００２１】
（１−１−２）操作キー
続いて装置本体２に設けられている操作キー６について説明する。この実施例の場合、操作キー６は次の１０個のキーで構成されている。すなわち電源キー６Ａ、「０」〜「９」の数字キー６Ｂ、「♯」キー６Ｃ、「＊」キー６Ｄ、センドキー６Ｅ、エンドキー６Ｆ、メニユーキー６Ｇ、クリアキー６Ｈ、録音キー６Ｉ及びジヨグダイアル６Ｊの１０個で構成されている。このうち操作キー６Ａ〜６Ｈまでは装置本体２の前面に配置されており、残る２個の操作キー６Ｉ及び６Ｊは装置本体２の側面に配置されている。
【００２２】
各操作キーに割り当てられている主な機能は次の通りである。まず電源キー６Ａは装置本体２の内部回路に電源を投入するのに用いられるキーであり、１度目の押下操作で電源が投入され、２度目の押下操作で電源の供給を切るようになされている。但し、電源キー６Ａによつて電源が投入された後、３０秒間に亘つてユーザからパーソナルアイデンテテイ番号（ＰＩＮ：Personal ID Number）が入力されなかつた場合には、ＣＰＵ７がこれを検知して自動的に電源を切るようになされている。これにより誤動作によつて電源が入つたままの状態になることを防止し得る。
【００２３】
次に１０個の数字キー６Ｂについて説明する。これら１０個の数字キー６Ｂは数字の入力の他、アルフアベツトの入力に用いられる。この実施例の場合、「０」及び「１」キーを除く８つの数字キー「２」〜「９」に複数のアルフアベツトがそれぞれ割り当てられており、これらによつてアルフアベツトを入力し得るようになされている。例えば「２」キーには「ａ」〜「ｃ」、「３」キーには「ｄ」〜「ｆ」が割り当てられ、他のキーにも同様にアルフアベツトが割り当てられている。
【００２４】
アルフアベツトを入力する際には同じキーを１回押すことで１番目の文字を入力でき、２回押すことで２番目の文字を入力でき、３回押すことで３番目の文字を順送りに入力できるようになされている。
【００２５】
センドキー６Ｅは数字キー６Ｂによつてマニユアル入力された電話番号や、或いは電話帳リスト画面で選択された相手先電話番号に発呼動作する際の動作開始指示を入力するためのキーであり、この他にも過去のダイヤル履歴等を呼び出す際にも用いられる。
エンドキー６Ｆは通話終了指示を入力するためのキーである。因みに、通話終了指示はアームマイク３を閉じることによつても入力できるようになされている。
【００２６】
メニユーキー６Ｇは液晶デイスプレイ５に表示させる画面を初期画面とメニユー画面との間で切り換えるのに用いられるキーである。通常、携帯電話装置１では初期画面として例えば時刻等を表示しているが、この状態でメニユーキー６Ｇを押すと、各種機能項目を設定するためのメニユー画面に表示を切り換えることができる。またこのようにメニユー画面を表示している最中にメニユーキー６Ｇを押すと、どの画面にあつても直ちに初期画面に戻ることができる。
【００２７】
またメニユーキー６Ｇにはキーロツク状態を解除できる唯一の操作キーとしての機能が割り当てられている。すなわち上述したようにアームマイク３が閉じられた状態では、通常、キーロツク状態になつているが、メニユーキー６Ｇを押せばキーロツク状態を脱してキーアクテイブ状態に移行することができる。
【００２８】
録音キー６Ｉは通話中の会話を録音する場合と、その録音したものを再生する場合に用いられるキーであり、装置本体２を保持した手でそのまま操作できるように当該装置本体２の上面のうちアームマイク３と反対側に取り付けられている。
【００２９】
最後に１０個の操作キーのうち中心的な機能を有するジヨグダイアル６Ｊについて説明する。ジヨグダイアル６Ｊは装置本体２の側面のうちアームマイク３の反対側上部であつてスピーカ４の近傍位置に設けられており、録音キー６Ｉと同様に装置本体２を保持した手でそのまま操作できるようになされている。
【００３０】
このジヨグダイアル６Ｊは円周方向及び半径方向についてそれぞれ独立に操作できるようになされたもので、図３に示すように、回転軸Ｏを中心とする円周方向（矢印Ａ及び矢印Ｂ）に回動する円板状の部材（ロータリーエンコーダを構成する）と、半径方向（矢印Ｃ及び矢印Ｄ）にスライドし得るスライド板（図示せず）と、スライドスイツチＳＷとによつて構成されている。
【００３１】
因みに、スライド板及びスライドスイツチＳＷは矢印Ｃの方向に付勢されている。また回転軸Ｏはスライド板に対して固定されており、ジヨグダイアル６Ｊが矢印Ｄの方向に押された場合にはロータリーエンコーダがスライド板と一体にスライドしてスライドスイツチＳＷを押し下げ、オン状態に制御できるようになされている。ＣＰＵ７はこのスライドスイツチＳＷのオンオフ状態を検出することによつてジヨグダイアル６Ｊがクリツクされたか否かを判別している。
【００３２】
スライド板と一体にスライドするロータリーエンコーダは、図４に示すように、２枚の円板６Ｊ１及び６Ｊ２によつて構成されている。このうち円板６Ｊ１は円板６Ｊ２の上面に積層された可動部材であり、スライド板に固定された円板６Ｊ２に対して相対的に回動し得るように取り付けられている。ここで可動側の円板６Ｊ１には１組の対向電極６Ｊ２１が設けられている。この対向電極６Ｊ２１は組み立てたとき、円板６Ｊ２の円周に沿つて設けられた２０組の対向電極６Ｊ２２と摺接し得るようになされている。因みに、固定側の円板６Ｊ２に設けられた対向電極６Ｊ２２は内周側と外周側とで位置がわずかづつずれて形成されている。
【００３３】
従つてジヨグダイアル６Ｊを矢印Ａの方向に回すと対向電極６Ｊ２２から出力される電位は、図５（Ａ）に示すように、内周側の電位が先に接地電位に立ち下がるのに対し、矢印Ｂの方向に回すと、図５（Ｂ）に示すように、外周側の電位が先に接地電位に立ち下がる。これを利用して内周側の電位と外周側の電位のいずれが先に立ち下がるかを検出することにより、ジヨグダイアル６Ｊでは回動方向を検出するようになされている。またジヨグダイアル６Ｊの回転量は外周側の電極から出力されるパルスの数をカウントすることにより検出し得るようになされている。
【００３４】
続いてジヨグダイアル６Ｊを用いた代表的な操作例を説明する。まず液晶デイスプレイ５に各種リスト画面が表示されている状態で、ジヨグダイアル６Ｊを円周方向にアツプ又はダウン操作することにより当該液晶デイスプレイ５に表示されているカーソルを上下方向に移動することができるようになされている。この場合、この状態でジヨグダイアル６Ｊを半径方向に押せば（以下、これをクリツクと呼ぶ）、カーソルの位置する項目に関する詳細情報やクリツクした項目の下位階層の項目の読み出しをＣＰＵ７に指示することができる。
【００３５】
また通話中にジヨグダイアル６Ｊを円周方向に回動操作することにより受話音量の大きさを調整することができるようになされている。また通話中にジヨグダイアル６Ｊをクリツクすることによりミユートができるようになされている。
【００３６】
（１−２）メニユー表示
この携帯電話装置１では、近年の携帯電話の高機能化の流れを受けて例えば電話帳機能や転送機能、或いはシヨートメツセージ送信機能や発着信制限機能等といつた各種機能が設けられている。これらの機能はメニユー内に登録されており、メニユー画面を呼び出すことによつてユーザのニーズに合わせて随時設定し得るようになされている。
【００３７】
ここでこの携帯電話装置１におけるメニユーについて説明する。但し、ここではメニユーの構造及びその表示方法についてだけ説明し、機能項目の内容については説明を省略する。まず図６に示すように、この携帯電話装置１のメニユーは、関連する機能項目毎に１０個のグループに分けられ、その各グループ下に各機能項目が収められるようになされており、いわゆる階層構造によつて形成されている。例えばグループ１の下位階層には機能項目１〜ｘが収められ、グループ２の下位階層には機能項目１〜ｙが収められるといつた具合である。
【００３８】
ところでこのように階層構造を持つメニユーの場合には、「発明が解決しようとする課題」の項で述べたように、通常、リスト表示したときにどの階層にいるかが分からなくなるおそれがある。そのためこの携帯電話装置１では、階層の深さによつて画面のイメージを変えることにより現在メニユー内のどの階層にいるのかを分かりやすくするようにしている。
【００３９】
その具体的な表示方法について図７〜図９に示すメニユー画面のイメージ図を用いて説明する。
【００４０】
まずこの携帯電話装置１では、メニユーキー６Ｇを押すと、図７（Ａ）に示すように、グループ１〜５までの各グループ名がメニユー画面の１頁目として液晶デイスプレイ５に表示される。その際、現在選択されている部分を表すカーソル（すなわち白黒反転表示している部分）は１行目のグループ１のところに位置するようになされており、また各グループ名は各行の先頭から左詰めで表示されるようになされている。
【００４１】
この１頁目の表示においてジヨグダイアル６Ｊを上方向又は下方向に回転させると（以下、これをアツプ又はダウン操作と呼ぶ）、カーソルを上方又は下方に移動することができる。例えば図７（Ａ）に示す状態でジヨグダイアル６Ｊを１回ダウン操作すると、図７（Ｂ）に示すように、カーソルを１行下げてグループ２のところに移動することができる。さらにこの状態からジヨグダイアル６Ｊを１回ダウン操作すると、図７（Ｃ）に示すように、カーソルをさらに１行下げてグループ３のところに移動することができる。同様にジヨグダイアル６Ｊを順次ダウン操作して行くと、図７（Ｄ）や図７（Ｅ）に示すように、カーソルを４行目のグループ４のところや５行目のグループ５のところに移動することができる。
【００４２】
またこれとは逆にジヨグダイアル６Ｊをアツプ操作して行くと、図７（Ｅ）〜（Ａ）に示すように、カーソルを順に一行ずつ上方に移動することができる。
【００４３】
図７（Ｅ）に示すようにメニユー画面の１頁目の終わりであるグループ５のところにカーソルがある状態でジヨグダイアル６Ｊを１回ダウン操作すると、今度は図７（Ｆ）に示すようにグループ６〜１０までがメニユー画面の２頁目として表示される。その際、２頁目も１頁目と同様に各グループ名は各行の先頭から左詰めで表示される。
【００４４】
またこの２頁目においてもジヨグダイアル６Ｊをアツプ又はダウン操作すると、カーソルを上方又は下方に移動することができる。例えば図７（Ｆ）に示す状態でジヨグダイアル６Ｊを１回ダウン操作すると、図７（Ｇ）に示すように、カーソルを２行目のグループ７のところに移動することができる。さらにこの状態でジヨグダイアル６Ｊを１回ダウン操作すると、図７（Ｈ）に示すように、カーソルを３行目のグループ８のところに移動することができる。同様にジヨグダイアル６Ｊを順次ダウン操作して行くと、図７（Ｉ）や図７（Ｊ）に示すように、カーソルを４行目のグループ９のところや５行目のグループ１０のところに移動することができる。
【００４５】
またこの２頁目においても、これとは逆にジヨグダイアル６Ｊを順にアツプ操作して行くと、図７（Ｊ）〜（Ｆ）に示すように、カーソルを順に一行ずつ上方に移動することができる。
【００４６】
ここでこの携帯電話装置１では、所望のグループ名のところにカーソルを合わせてジヨグダイアル６Ｊをクリツク操作すると、そのグループの下位階層の項目を表示するようになされている。例えば図７（Ｊ）に示すようにカーソルがグループ１０のところにある状態でジヨグダイアル６Ｊをクリツク操作すると、図７（Ｋ）に示すように、そのグループ１０の下にある機能項目を表示する。
【００４７】
その際、液晶デイスプレイ５の１行目にはその機能項目が収められている上位階層の名前、すなわちこの場合にはグループ名が表示されるようになされており、２行目から５行目にかけて各機能項目が表示されるようになされている。このようにして液晶デイスプレイ５の１行目に上位階層の名前を表示することにより、ユーザはこれを見て現在下位階層にいるか否かを容易に理解し得ると共に、何処の階層下にいるかを容易に理解し得る。
【００４８】
また各機能項目は各行の先頭から２文字分字下げして表示するようになされている。このようにして上位階層と下位階層とで表示フオーマツトを変えることにより、ユーザはグループ名を読まなくても一目で下位階層にいることを理解し得る。
【００４９】
ここで下位階層において機能項目を選ぶ時のスクロール表示について説明する。ジヨグダイアル６Ｊをクリツク操作して最初に機能項目を表示させたとき、図８（Ａ）に示すように、機能項目としては１番目から４番目の４つの項目が表示され、そのうち１番目の項目のところにカーソルが表示されるようになされている。この状態でジヨグダイアル６Ｊを１回ダウン操作すると、図８（Ｂ）に示すように、カーソルを１行下げて２番目の項目のところに移動することができる。さらにこの状態でジヨグダイアル６Ｊを１回ダウン操作すると、図８（Ｃ）に示すように、カーソルをさらに１行下げて３番目の項目のところに移動することができる。
【００５０】
ところで機能項目の表示に関してはグループ表示のときのようなページスクロールにはなつておらず、ジヨグダイアル６Ｊをダウン操作して行つたとき、途中から機能項目リストを上方にシフトして行くことによつて機能項目リスト全体をスクロールするようになされている。すなわち図８（Ｃ）に示すように３番目の項目のところにカーソルがある状態でジヨグダイアル６Ｊを１回ダウン操作すると、図８（Ｄ）に示すようにカーソルを画面内で下げず（すなわち画面内の上から４行目に止める）、逆に機能項目リストを上方に１段シフトし、これによつてカーソルを４番目の項目のところに移動する。因みに、この場合、画面内の１行目に表示されているグループ名はスクロールされず、機能項目リストだけがスクロールされる。
【００５１】
図８（Ｄ）に示す状態でさらにジヨグダイアル６Ｊをダウン操作すると、図８（Ｅ）に示すように、同様にカーソル自体を下げずに機能項目リストを１段上方にシフトし、これによつてカーソルを５番目の項目のところに移動する。以下同様にしてジヨグダイアル６Ｊをダウン操作して行くと、図８（Ｆ）〜（Ｇ）に示すように、機能項目リストを１段ずつ上方にシフトして行くことによつてカーソルを６番目、７番目の項目のところに順に移動して行く。
【００５２】
図８（Ｇ）に示すように最後の機能項目である８番目の項目が画面の５行目に表示された場合、ジヨグダイアル６Ｊをダウン操作すると、今度は図８（Ｈ）に示すように、機能項目リストをシフトせずにカーソルを１行下げ、これによつてカーソルを８番目の項目のところに移動する。このように最後の機能項目に関してはカーソルの位置を変えるようにした理由は、画面内のカーソル位置によつて機能項目の最後であることを容易に知り得るようにするためである。
【００５３】
図８（Ｈ）に示すように最後の機能項目のところにカーソルがある状態でさらにジヨグダイアル６Ｊをダウン操作すると、図８（Ｉ）に示すように、再び始めに戻つて１番目から４番の項目が表示される。その際、カーソルは画面内の２行目、すなわち１番目の項目のところに表示される。以下同様にしてダウン操作すると、図８（Ｊ）、図８（Ｃ）、……の順でカーソルが移動して行く。
【００５４】
このようにしてカーソルを所望の機能項目に合わせた後、ジヨグダイアル６Ｊをクリツク操作すると、その機能項目の設定モードに入り込み、その機能についての設定が行える。例えば図８（Ｊ）に示すように、２番目の項目のところでクリツク操作を行えば、その２番目の項目の設定モードに入り込み、その設定が行える。
【００５５】
これに対してジヨグダイアル６Ｊをアツプ操作した場合には、機能項目は図９に示すようにスクロール表示される。すなわち図９（Ａ）に示すように機能項目を最初に表示した状態でジヨグダイアル６Ｊをアツプ操作すると、図９（Ｂ）に示すように機能項目のうちの後の４項目（すなわち５番目から８番目の項目）が表示される。その際、カーソルは画面内の上から５行目、すなわち８番目の項目のところに表示される。
【００５６】
この状態でさらにジヨグダイアル６Ｊをアツプ操作して行くと、カーソルが順に１行ずつ上方に移動し、図９（Ｃ）や図９（Ｄ）に示すように７番目、６番目の項目のところに順に移動して行く。
【００５７】
この図９（Ｄ）に示す状態でさらにジヨグダイアル６Ｊをアツプ操作すると、今度は図９（Ｅ）に示すようにカーソルを画面内で上げず（すなわち画面内の上から２行目の止める）、逆に機能項目リストを下方に一段シフトし、これによつてカーソルを５番目のところに移動する。因みに、この場合にも、画面の１行目に表示されているグループ名はスクロールされず、機能項目リストだけがスクロールされる。
【００５８】
以下同様にしてジヨグダイアル６Ｊを順にアツプ操作して行くと、図９（Ｆ）〜図９（Ｈ）に示すように、機能項目リストを１段ずつ下方にシフトして行くことによつてカーソルを４番目、３番目、２番目の項目のところに順に移動して行く。
図９（Ｈ）に示すように機能項目の１番目が画面の２行目に表示された場合、ジヨグダイアル６Ｊをアツプ操作すると、今度は図９（Ｉ）に示すように、機能項目をシフトさせずにカーソルを１行上げ、これによつてカーソルを１番目の項目のところに移動する。このように１番最初の機能項目に関してはカーソルの位置を変えるようにした理由は、画面内のカーソル位置によつて機能項目の最初であることを容易に知り得るようにするためである。
【００５９】
図９（Ｉ）に示すように最初の機能項目のところにカーソルがある状態でさらにジヨグダイアル６Ｊをアツプ操作すると、図９（Ｊ）に示すように、再び８番目の項目が表示され、その部分にカーソルが表示される。以下同様にしてアツプ操作すると、図９（Ｃ）、図９（Ｄ）、……の順でカーソルが移動して行く。
【００６０】
このようにしてカーソルを所望の機能項目に合わせた後、ジヨグダイアル６Ｊをクリツク操作すると、上述したようにその機能項目の設定モードに入り込み、その機能についての設定を行える。
【００６１】
ここでこれらのメニユー画面の表示はＣＰＵ７による表示制御によつて行われるが、その際の処理手順について図１０に示すフローチヤートを用いて説明する。
【００６２】
まずステツプＳＰ１から入つたステツプＳＰ２において、ユーザによつてメニユーキー６Ｇが押されると、ＣＰＵ７はこれを受けて続くステツプＳＰ３に進み、ここでメニユーの上位階層であるグループを液晶デイスプレイ５にリスト表示する。その際、メニユー画面の１頁目としてまずグループ１〜５までを表示する。
【００６３】
この表示の後、続くステツプＳＰ４においてユーザがジヨグダイアル６Ｊを操作してアツプ又はダウンを入力すると、ＣＰＵ７はこれを受けて続くステツプＳＰ５に進み、ここで画面内に表示されているカーソルを移動する。その際、アツプ又はダウンで指定される移動量がメニユー画面の２頁目に及ぶ場合には、２頁目であるグループ６〜１０に表示を切り換えてカーソルを移動する（すなわちページをめくるようにしてグループを表示し、カーソルを移動する）。
【００６４】
ステツプＳＰ６において、希望するグループのところにカーソルを合わせた後にユーザがジヨグダイアル６Ｊをクリツク操作すると、そのグループが確定され、ＣＰＵ７は続くステツプＳＰ７に進む。
【００６５】
ステツプＳＰ７では、その確定されたグループの下位にある機能項目を、先程のグループ表示と画面イメージを変えてリスト表示する。具体的には、上述したように画面の１行目にグループ名を表示し、画面の２行目〜５行目にかけて機能項目を表示する。また各機能項目は各行の先頭から字下げして表示する。
【００６６】
このように機能項目を表示した後、ステツプＳＰ８においてユーザがジヨグダイアル６Ｊを操作してアツプ又はダウンを入力すると、ＣＰＵ７はこれを受けて続くステツプＳＰ９に進み、ここで画面内に表示されているカーソルを移動する。その際、現在画面上に表示されている機能項目以外の部分にカーソルを移動するようなアツプ又はダウンの指示を受けた場合には、機能項目リストの方を順次シフトすることによつて指示された項目部分を表示し、その項目部分にカーソルを移動する。すなわち機能項目に関しては、グループ表示のときのようにページをめくるようにして表示するのではなく、機能項目リストを順次シフトして行くことによつて所望の機能項目を表示する。
【００６７】
ステツプＳＰ１０において、希望する機能項目のところにカーソルを合わせた後にユーザがジヨグダイアル６Ｊをクリツク操作すると、その機能項目が確定され、ＣＰＵ７はその機能項目を設定するための設定モードに入り込む。これが終わると続くステツプＳＰ１１に進んでメニユー表示の処理手順を終了する。
【００６８】
（１−３）動作及び効果
以上の構成において、この実施例の場合には、メニユーキー６Ｇが押されると、まずメニユーの上位階層であるグループをリスト表示する。ユーザがジヨグダイアル６Ｊを操作してカーソルを所望のグループのところに合わせた後、クリツク操作をすると、今度はその選んだグループの下にある機能項目をリスト表示する。その状態で再びジヨグダイアル６Ｊを操作してカーソルを所望の機能項目のところに合わせた後、クリツク操作すると、その選んだ機能項目の設定モードに入り込み、その機能項目に対する設定を行うことができる。
【００６９】
ところでこの実施例の場合には、上位階層であるグループを表示する場合とそのグループの下位階層である機能項目を表示する場合とで画面イメージを変えている。具体的には、グループを表示する際にはグループ名を左詰めして画面の上から順にリスト表示するのに対し、機能項目を表示する際には画面の一番上の行にその機能項目の上位階層であるグループ名を表示し、かつ機能項目については行の先頭から字下げして表示する。
【００７０】
このように下位階層の機能項目を表示する際には上位階層のグループ名を表示するようにしたことにより、ユーザはそのグループ名を見て現在下位階層の機能項目が表示されていることを容易に知り得ると共に、どの上位階層の下の機能項目が表示されているかを容易に知り得る。
【００７１】
また下位階層の機能項目を表示する際には各機能項目を行の先頭から字下げして表示し、行の先頭に空白部分を設けるようにしたことにより、ユーザはグループ名を読まずとも表示を一目見て、下位階層である機能項目が現在表示されていることを容易に知り得る。
【００７２】
またこの実施例の場合には、上位階層であるグループを表示する際にはページを１枚ずつめくつて行くようなページスクロールを行い、下位階層である機能項目を表示する際には機能項目を順次シフトして行くようなスクロールを行うようにしている。このようにして上位階層のグループを表示する場合と下位階層の機能項目を表示する場合とでスクロールの仕方を変えるようにしたことにより、ユーザはこれを見て上位階層が表示されているのか下位階層が表示されているのかを知り得る。
【００７３】
以上の構成によれば、上位階層の項目を表示する場合と下位階層の項目を表示する場合とで画面イメージを変えるようにしたことにより、どの階層が現在表示されているかが容易に分かり、これによつて目的の項目を容易に捜すことができる。かくするにつき複数の項目をリスト表示する際、ユーザにとつて目的の項目を捜しやすい表示を提供し得る携帯電話装置を実現し得る。
【００７４】
（２）第２実施例
上述の第１実施例においては、メニユーを階層的な構造にし、その構造に従つて階層的に表示した場合について述べたが、この第２実施例においては、メニユーをグループ分けしただけの平面的な構造にし、グループ名とそれに属する項目名とを同時に表示することによつて目的の項目を捜しやすくする。
【００７５】
まず図１１を用いてこの第２実施例におけるメニユーについて説明する。この第２実施例の場合には、図１１に示すように、関連する項目毎に機能項目を例えば３つのグループに分ける。但し、第１実施例のように各グループの下に機能項目が収められるようにするのではなく、単に機能項目をグループ分けするだけである。例えばグループ１は６つの機能項目からなり、グループ２は７つの機能項目からなり、グループ３は３つの機能項目からなるようにグループ分けする。このようにグループ分けした上でグループ名と機能項目名とを同時に表示する。
【００７６】
すなわちこの実施例の場合には、図１１に示すメニユーの構造そのものを１つのリストとし、そのリストを順次スクロールして行つて全機能項目を表示するようにする。このためユーザとしてはグループ名と機能項目名の両方を同時に見ることができ、その２つの情報を元にして現在表示されている部分と目的の機能項目との位置的な差を容易に判断し、目的の機能項目を容易に捜し出すことができる。
【００７７】
なお、第１実施例の場合にもグループ名を表示するために現在表示されている部分と目的の機能項目との位置的な差を容易に判断し得るという点においては同じであるが、第１実施例の場合には、基本的に階層構造であるため、目的の機能項目が現在表示されている機能項目とグループが異なつているとき、一旦、上位階層に戻つて目的の機能項目を含むグループを選びなおさなければならず、目的の機能項目を表示させるまでのステツプ数が増えるが、この第２実施例の場合には、階層的な構造ではないので項目リストをスクロールするだけで良く、目的の機能項目を表示させるまでのステツプ数が増えるようなことはない。
【００７８】
ところでこの第２実施例の場合には、図１１に示すようなメニユー構造を１つのリストとして表示するため、横長の液晶デイスプレイが必要になる。そのためこの第２実施例では例えば４行×１８桁の文字を表示し得る横長の液晶デイスプレイを用いるようにする。因みに、第１実施例と同じく縦７×横５ドツトの小フオントで表示するとすれば、３２×１０９ドツト程度の画素を有するものを用いれば良い。
【００７９】
ここでこの第２実施例におけるメニユー表示について、図１２〜図１５に示す画面イメージ図を用いて説明する。
【００８０】
まずユーザによつてメニユーキー６Ｇが押されると、この実施例による携帯電話装置では、図１２（Ａ）に示すように、グループ１のうち最初の４項目が表示される。その際、画面の左上にはグループ名が表示され、画面の右側には上から順に４つの機能項目が表示される。また現在選択されている部分を表すカーソルは１番目の機能項目のところに表示される。
【００８１】
この状態でジヨグダイアル６Ｊを１回ダウン操作すると、図１２（Ｂ）に示すように、カーソルが１行下がつて２番目の機能項目のところに移動する。さらにジヨグダイアル６Ｊを１回ダウン操作すると、図１２（Ｃ）に示すように、カーソルがさらに１行下がつて３番目の機能項目のところに移動する。
【００８２】
この状態でさらにジヨグダイアル６Ｊを１回ダウン操作すると、図１２（Ｄ）に示すように、カーソルが下がらずに（すなわち画面の上から３行目に止まり）、機能項目リストが１段上にシフトすることによつてカーソルが４番目の機能項目のところに移動する。但し、その際、グループ名はシフトせず、画面の左上に表示されたままである。
【００８３】
同様にしてジヨグダイアル６Ｊを１回ダウン操作すると、図１２（Ｅ）に示すように、機能項目リストが１段上にシフトしてカーソルが５番目の項目のところに移動する。
【００８４】
図１２（Ｅ）に示すようにグループ１の最後の項目すなわち６番目の機能項目が画面の４行目に表示された状態でジヨグダイアル６Ｊを１回ダウン操作すると、今度は図１２（Ｆ）に示すように、機能項目リストがシフトせずにカーソルが一段下に下がり、これによつてカーソルが６番目の項目のところに移動する。このようにして最後の機能項目のときには機能項目リストをシフトせずにカーソルを下げる理由は、ユーザに最後の機能項目であることを知らしめるためである。
【００８５】
図１２（Ｆ）に示すようにグループ１の最後の機能項目のところにカーソルがある状態で、さらにジヨグダイアル６Ｊをダウン操作すると、今度は図１２（Ｇ）に示すようにグループ２の機能項目が表示される。その際、画面の左上に表示されるグループ名は、グループが変わつたことを受けてグループ１からグループ２に切り換わる。また機能項目としてはグループ２のうちの最初の４項目が表示され、カーソルは最初の機能項目のところに表示される。
【００８６】
この状態でジヨグダイアル６Ｊを順次ダウン操作すると、図１３（Ｈ）や図１３（Ｉ）に示すように、カーソルが順に１行ずつ下がつて２番目の機能項目のところや３番目の機能項目のところに移動する。
【００８７】
この後、ジヨグダイアル６Ｊを順次ダウン操作して行くと、図１３（Ｊ）に示すように、グループ２の最後の機能項目である７番目の機能項目のところにカーソルが移動するが、その際にも上述した場合と同様に、機能項目リストをシフトせずにカーソルを１行下げることによつて当該カーソルを７番目の機能項目のところに移動する。
【００８８】
図１３（Ｊ）に示すようにグループ２の最後の機能項目のところにカーソルがある状態で、さらにジヨグダイアル６Ｊを１回ダウン操作すると、今度は図１３（Ｋ）に示すように、グループ３の機能項目が表示される。この場合にも、先程の場合と同様に、画面の左上に表示されるグループ名はグループ３に切り換わり、最初の機能項目のところにカーソルが表示される。
【００８９】
同様にしてジヨグダイアル６Ｊを順次ダウン操作すると、図１３（Ｌ）や図１３（Ｍ）に示すように、カーソルが順に１行ずつ下がつて２番目の機能項目のところや３番目の機能項目のところに移動する。
【００９０】
図１３（Ｍ）に示すようにカーソルがグループ３の最後の機能項目のところにある状態で、さらにジヨグダイアル６Ｊをダウン操作すると、図１３（Ｎ）に示すように、再びグループ１に戻つて表示が繰り返される。
【００９１】
またこれとは逆にジヨグダイアル６Ｊをアツプ操作した場合には、図１４及び図１５に示すようにして機能項目が表示される。すなわちメニユーキー６Ｇが押されて最初に機能項目が表示された状態（すなわち図１４（Ａ）に示すようにグループ１の機能項目が表示されている状態）で、ジヨグダイアル６Ｊをアツプ操作すると、図１４（Ｂ）に示すように、グループ３の機能項目が表示される。その際、画面の左上には同様にしてグループ３のグループ名が表示され、カーソルはグループ３の最後の機能項目である３番目の機能項目のところに表示される。
【００９２】
この状態でさらにジヨグダイアル６Ｊをアツプ操作して行くと、図１４（Ｃ）や図１４（Ｄ）に示すように、カーソルが１行ずつ上がつて順に２番目の機能項目のところや１番目の機能項目のところに移動する。
【００９３】
図１４（Ｄ）に示すように１番目の機能項目のところにカーソルがある状態で、さらにジヨグダイアル６Ｊをアツプ操作すると、今度は図１４（Ｅ）に示すように、グループ２の機能項目が表示される。その際、同様にして画面の左上にはグループ２のグループ名が表示され、カーソルはグループ２の最後の機能項目である７番目の機能項目のところに表示される。
【００９４】
この状態でさらにジヨグダイアル６Ｊをアツプ操作して行くと、図１４（Ｆ）や図１４（Ｇ）に示すように、カーソルが順に１行ずつ上がつて６番目の機能項目のところや５番目の機能項目のところに移動する。
【００９５】
図１４（Ｇ）に示すようにカーソルが上から２行目にある状態でジヨグダイアル６Ｊをアツプ操作すると、図１５（Ｈ）に示すように、カーソルが上がらずに（すなわちカーソルが２行目に止まり）、機能項目リストが１段下にシフトすることによつてカーソルが４番目の機能項目のところに移動する。
【００９６】
同様にしてジヨグダイアル６Ｊをアツプ操作して行くと、図１５（Ｉ）や図１５（Ｊ）に示すように、順に機能項目リストが下にシフトすることによつてカーソルが３番目の機能項目のところや２番目の機能項目のところに移動する。
【００９７】
図１５（Ｊ）に示すように、画面の１行目にグループ２の１番目の機能項目が表示されている状態でジヨグダイアル６Ｊをアツプ操作すると、今度は図１５（Ｋ）に示すように、機能項目リストがシフトせずにカーソルが１行上がることによつてカーソルが１番目の機能項目のところに移動する。このようにして１番目の機能項目のときには機能項目リストをシフトせずにカーソルを上げる理由は、ユーザに１番目の機能項目であることを知らしめるためである。
【００９８】
図１５（Ｋ）に示すように１番目の機能項目のところにカーソルがある状態でジヨグダイアル６Ｊをアツプ操作すると、図１５（Ｌ）に示すように、再びグループ１の機能項目が表示される。その際、グループ１の機能項目のうちの後ろの４つ機能項目が表示され、カーソルはグループ１の最後の機能項目である６番目の機能項目のところに表示される。
【００９９】
このようにしてこの実施例の場合には、ジヨグダイアル６Ｊをアツプ又はダウン操作すると、グループ１からグループ３までの各機能項目がスクロール表示され、階層の切り換えなしに所望の機能項目のところにカーソルを合わせることができる。このようにして所望の機能項目のところにカーソルを合わせた後、ジヨグダイアル６Ｊをクリツク操作すれば、その機能項目の設定モードに入り込み、その機能項目の設定を行い得る。
【０１００】
ここでこれらのメニユー画面の表示はＣＰＵ７による表示制御によつて行われるが、その際の処理手順について図１６に示すフローチヤートを用いて説明する。
【０１０１】
まずステツプＳＰ２０から入つたステツプＳＰ２１において、ユーザによつてメニユーキー６Ｇが押されると、ＣＰＵ７はこれを受けて続くステツプＳＰ２２に進み、ここでメニユー画面としてグループ１の機能項目をリスト表示する。その際、上述したように画面の左上にグループ名としてグループ１の名前を表示すると共に、カーソルをグループ１の最初の機能項目である１番目の機能項目のところに表示する（図１２（Ａ）又は図１４（Ａ）参照）。
【０１０２】
次にステツプＳＰ２３において、ユーザによつてジヨグダイアル６Ｊがアツプ又はダウン操作されると、ＣＰＵ７はこれを受けて次のステツプＳＰ２４に進み、ここでアツプ又はダウン操作で指示されるカーソルの位置を計算する。
【０１０３】
次のステツプＳＰ２５においては、先程の計算結果に基づき、アツプ又はダウン操作で指示された部分の機能項目リストを表示すると共に、その部分にカーソルを表示する。例えばアツプ又はダウン操作がグループ２の項目３に及ぶ場合には機能項目リストをスクロールしてグループ２の項目３を表示し、その部分にカーソルを表示する。なお、この場合にも、画面の左上には現在画面上に表示されている機能項目を含むグループの名前が表示される。
【０１０４】
この後、ユーザによつてクリツク操作が行われると、その機能項目の設定モードに入り込み、メニユー表示の処理手順としてはステツプＳＰ２６に進んで処理を終了する。
【０１０５】
以上の構成において、この第２実施例の場合には、メニユーキー６Ｇが押されると、まず最初にグループ１の１番目から４番目までの機能項目をリスト表示する。その際、画面の左上にはグループ名としてグループ１の名前が表示され、表示されている機能項目のうち１番目の機能項目のところにカーソルが表示される。この状態でジヨグダイアル６Ｊを操作してカーソルを所望の機能項目のところに合わせた後、クリツク操作をすると、その選んだ機能項目の設定モードに入り込み、その機能項目に対する設定を行うことができる。
【０１０６】
ところでこの第２実施例の場合には、機能項目を幾つかのグループに分け、機能項目をリスト表示するときにそのグループの名前を表示するようにしたことにより、そのグループ名を目安として目的の機能項目を容易に捜し出すことができる。
【０１０７】
またこの第２実施例の場合には、機能項目をグループ分けしただけの構造にしたことにより（すなわち階層構造にしなかつたことにより）、現在表示されている機能項目が目的の機能項目と違つている場合、ジヨグダイアル６Ｊを操作して機能項目リストをスクロールするだけで容易に目的の機能項目を捜し出すことができる。因みに、第１実施例のように階層構造にした場合には、現在表示されている機能項目が目的のものと違つている場合、上位階層に戻らなければならないことがあるが、この第２実施例の場合にはそのようなことはなく、ユーザの手間を省けて一段と使い勝手を向上し得る。
【０１０８】
以上の構成によれば、機能項目をグループ分けし、当該機能項目をリスト表示する際にはそのグループ名を表示するようにしたことにより、そのグループ名を目安として目的の機能項目を捜し出すことができ、これによつて目的の機能項目を容易に捜し出すことができる。かくするにつき複数の項目をリスト表示する際、ユーザにとつて目的の項目が捜しやすい表示を提供し得る携帯電話装置を実現し得る。
【０１０９】
（３）他の実施例
なお上述の第１実施例においては、下位階層である機能項目を表示するとき、機能項目を字下げして表示することによつて上位階層のグループ表示と画面イメージを変えた場合について述べたが、本発明はこれに限らず、例えば図１７に示すように、機能項目を表示する際には文字フオントを変えて表示する文字形状を変えるようにして上位階層と画面イメージを変えるようにしても良い。またこれに限らず、例えばカラー液晶デイスプレイを用いて上位階層と下位階層とで画面の色を変えることによつて画面イメージを変えるようにしても良い。要は、上位階層と下位階層とで画面イメージを変えるようにすれば、どの階層にいるかを判別することができ、上述の場合と同様の効果を得ることができる。
【０１１０】
また上述の第１実施例においては、下位階層である機能項目を表示するとき、行の先頭から２文字分字下げした場合について述べたが、本発明はこれに限らず、機能項目を表示するときには例えば行の先頭から１文字分字下げするようにしても良い。要は、上位階層と下位階層とで項目の表示位置を変えるようにすれば、上述の場合と同様の効果を得ることができる。
【０１１１】
また上述の第１実施例においては、メニユーの構造を２段の階層構造にした場合について説明したが、本発明はこれに限らず、階層構造がこれ以外の場合であつても階層の深さに応じて画面イメージを変えるようにすれば上述の場合と同様の効果を得ることができる。
【０１１２】
また上述の第１実施例においては、５行×１６桁の表示が行い得る液晶デイスプレイを用いた場合について述べたが、本発明はこれに限らず、これ以外の行数又は桁数の液晶デイスプレイを用いた場合にも上述の場合と同様の効果を得ることができる。但し、ユーザに見やすい表示を提供する上では３行程度以上の表示が行い得る液晶デイスプレイが望ましい。
【０１１３】
また上述の第２実施例においては、グループの最初或いは最後の機能項目のところでカーソルの位置を変えることによつてグループの境界をユーザに知らせた場合について述べたが（図１２（Ｆ）や図１５（Ｋ）等）、本発明はこれに限らず、例えば図１８に示すように、グループの境界を示す破線等を表示するようにしてグループの境界を知らせるようにしても良い。またこれに限らず、グループの境界を示すその他の線や文字、或いは記号等を表示するようにしても良い。要は、グループの境界を示す情報を表示するようにすれば、ユーザはその表示を見てグループの終わりや始めを認識し得る。
【０１１４】
また上述の第２実施例においては、液晶デイスプレイの左上にグループ名を表示した場合について述べたが、本発明はこれに限らず、例えば第１実施例のように機能項目の上側にグループ名を表示するようにしたり、或いは画面内のその他の位置にグループ名を表示するようにしても良い。要は、グループ名の表示位置は本発明において限定されるものではない。
【０１１５】
また上述の第２実施例においては、４行×１８桁の表示を行い得る液晶デイスプレイを用いた場合について述べたが、本発明はこれに限らず、これ以外の行数又は桁数の液晶デイスプレイを用いた場合にも上述の場合と同様の効果を得ることができる。但し、この場合にも、ユーザに見やすい表示を提供する上では３行程度以上の表示が行い得る液晶デイスプレイが望ましい。
【０１１６】
また上述の第１及び第２実施例においては、カーソルの移動と項目の確定に用いる入力手段として回転機構及びクリツク機構を有するジヨグダイアル６Ｊを用いた場合について述べたが、本発明はこれに限らず、カーソルの移動を入力する操作方向と選択された項目を確定する操作方向とが異なる入力装置であれば他の構造の入力装置を広く適用し得る。
【０１１７】
例えば回転角が所定角度に制限されたいわゆるジヨグシヤトルを用いても良いし、或いはクリツク機構付きのトラツクボールやジヨイステイツクを用いても良いし、また或いはクリツク機構付きのスライドスイツチを用いても良い。これらを用いても上述の場合と同様、操作キー数の少ない携帯性に優れた携帯電話装置を実現し得る。
【０１１８】
また上述の第１実施例においては、ＣＰＵ７の表示制御によつて階層毎に画面イメージを変えるようにした場合について述べたが、本発明はこれに限らず、表示手段に項目をリスト表示させるとき、階層毎に画面イメージを変えて表示させるような制御手段を設ければ、上述の場合と同様の効果を得ることができる。
【０１１９】
また上述の第２実施例においては、ＣＰＵ７の表示制御によつて機能項目をリスト表示する際にグループ名を表示するようにした場合について述べたが、本発明はこれに限らず、複数の項目をリスト表示する場合、複数の項目をグループ分けし、表示されている項目が属するグループの名前を表示手段に表示させるような制御手段を設ければ、上述の場合と同様の効果を得ることができる。
【産業上の利用可能性】
【０１２０】
本発明の通信端末装置は、例えば携帯電話に利用することができる。
【図面の簡単な説明】
【０１２１】
【図１】本発明の一実施例による携帯電話装置の全体構成を示す略線図である。
【図２】その携帯電話装置の内部に設けられる回路構成を示すブロツク図である。
【図３】ジヨグダイアルの略線機構を示す略線図である。
【図４】ロータリーエンコーダの構成を示す略線図である。
【図５】ロータリーエンコーダからの出力波形を示す出力波形図である。
【図６】第１実施例によるメニユー構造の説明に供する略線図である。
【図７】第１実施例によるメニユー表示の説明に供する略線図である。
【図８】第１実施例によるメニユー表示の説明に供する略線図である。
【図９】第１実施例によるメニユー表示の説明に供する略線図である。
【図１０】第１実施例によるメニユー表示の処理手順を示すフローチヤートである。
【図１１】第２実施例によるメニユー構造の説明に供する略線図である。
【図１２】第２実施例によるメニユー表示の説明に供する略線図である。
【図１３】第２実施例によるメニユー表示の説明に供する略線図である。
【図１４】第２実施例によるメニユー表示の説明に供する略線図である。
【図１５】第２実施例によるメニユー表示の説明に供する略線図である。
【図１６】第２実施例によるメニユー表示の処理手順を示すフローチヤートである。
【図１７】文字フオントを変えることによつて画面イメージを変えた場合の説明に供する略線図である。
【図１８】グループの境界を示す破線を表示した場合の説明に供する略線図である。
【符号の説明】
【０１２２】
１……携帯電話装置、２……装置本体、３……アームマイク、４……スピーカ、５……液晶デイスプレイ、６Ｇ……メニユーキー、６Ｊ……ジヨグダイアル、７……ＣＰＵ、１０……送受信回路部。
【図１】
2007012082.tif 000003
【図２】
2007012082.tif 000004
【図３】
2007012082.tif 000005
【図４】
2007012082.tif 000006
【図５】
2007012082.tif 000007
【図６】
2007012082.tif 000008
【図７】
2007012082.tif 000009
【図８】
2007012082.tif 000010
【図９】
2007012082.tif 000011
【図１０】
2007012082.tif 000012
【図１１】
2007012082.tif 000013
【図１２】
2007012082.tif 000014
【図１３】
2007012082.tif 000015
【図１４】
2007012082.tif 000016
【図１５】
2007012082.tif 000017
【図１６】
2007012082.tif 000018
【図１７】
2007012082.tif 000019
【図１８】
2007012082.tif 000020